(57)【要約】【目的】本発明は非健常者にとっても側板の位置合わせ操作性が容易になる転写紙の載置方法を提供することを目的とする。【構成】画像形成装置に設置され、画像を形成するために載置される転写紙Ｓを両側から整合するための手前側側板３２ａおよび奥側側板３２ｂとからなる一対の側板３２を有し、該一対の側板３２のうち少なくとも一方が前記転写紙Ｓの給紙方向と直交する方向に移動可能となっている給紙トレイ３０と、前記転写紙Ｓのサイズに合わせた台紙プレート２０を有し、該台紙プレート２０を前記給紙トレイ３０に載置する第１工程と、前記給紙トレイ３０に載置した台紙プレート２０の上に転写紙Ｓを載置する第２工程と、前記側板３２を移動して転写紙Ｓの整合を行う第３工程と、からなる構成とした。【選択図】　　　　図１
2004026337.tif 000002
【特許請求の範囲】
【請求項１】
画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、
前記転写紙のサイズに合わせた台紙プレートを有し、
該台紙プレートを前記給紙トレイに載置する第１工程と、
前記給紙トレイに載置した台紙プレートの上に転写紙を載置する第２工程と、
前記側板を移動して転写紙の整合を行う第３工程と、からなることを特徴とする転写紙の載置方法。
【請求項２】
前記台紙プレートは、前記給紙トレイによって給紙可能な転写紙のサイズを複数枚用意しており、使用する転写紙のサイズによって第１工程で前記給紙トレイに載置する台紙プレートを変えることを特徴とする請求項１記載の転写紙の載置方法。
【請求項３】
画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、
前記転写紙のサイズに合わせた台紙プレートを有し、
前記給紙トレイは転写紙の有無を検知する紙検知手段を有し、前記台紙プレートは、前記紙検知手段を回避する切欠部を有することを特徴とする給紙装置。
【請求項４】
前記給紙トレイは前記台紙プレートを収納する収納部を有し、第１工程は前記収納部から台紙プレートを取りだし、前記給紙トレイに載置することを特徴とする請求項３に記載の給紙装置。
【請求項５】
前記台紙プレートは、２つ折り可能な形状であり、転写紙のサイズによって２つ折りの状態又は広げた状態で前記給紙トレイに載置することを特徴とする請求項３又は４に記載の給紙装置。
【請求項６】
前記台紙プレートは、凹凸形状の紙サイズ表示部を有することを特徴とする請求項３から５のいずれかに記載の給紙装置。
【請求項７】
前記台紙プレートは、該台紙プレートのサイズを表示する台紙プレートサイズ表示部を有し、
前記給紙トレイは、前記台紙プレートサイズ表示部の表示を検知する台紙プレートサイズ検知手段と、転写紙のサイズを検知する紙サイズ検知手段と、該２つの検知手段によって検知したサイズを比較するサイズ比較手段と、を有し、
前記第１から第３工程の後、前記台紙プレートサイズ検知手段で検知した台紙プレートサイズと前記紙サイズ検知手段で検知した転写紙のサイズをサイズ比較手段で比較し、台紙プレートのサイズと転写紙のサイズが異なっている場合には、操作者に告知することを特徴とする請求項３から６のいずれかに記載の給紙装置。
【発明の詳細な説明】
【０００１】
【産業上の利用分野】
本発明は、画像形成装置の給紙トレイに転写紙を載置する方法に関する。
【０００２】
【従来の技術】
画像形成装置の給紙トレイには、使用頻度の高い転写紙を載置する給紙トレイと、使用頻度の低い転写紙が必要となった時に載置するための手差しの給紙トレイという２種類が設けられている。
【０００３】
図８は、手差しトレイ８０を使用位置である開状態にした要部斜視図である。手差しトレイ８０は、ほぼ平らなベース８１の基端を画像形成装置本体にヒンジ結合し、装置本体に収容された閉状態と、図８のように使用位置に開いた開状態とに開閉自在となっている。
【０００４】
ベース８１のやや装置本体寄りには、鏡面対称形状の手前側側板８２ａと奥側側板８２ｂとから構成される一対の側板８２が設けられている。各側板は、ベース８１から直角に立ち上がった垂直部分とベース８１上に拡がる水平部分とでＬ型になっており、両水平部分の上に転写紙を載せるようになっている。また、これら手前側側板８２ａと奥側側板８２ｂは、それぞれ長孔８３ａ，８３ｂにスライド自在に取り付けられており、一方の側板を動かすと中心線ａからの距離が常に同一になるように他方の側板が動き、鏡面対称に移動可能な構成である。ここで、中心線ａは、転写紙の搬送方向なので、一対の側板８２は、転写紙の搬送方向と直交する方向に連動して移動することになる。なお、符号８５は、手差しトレイ８０が画像形成装置の本体に収納されたか、使用位置にあるかを検知するセンサである。
【０００５】
一対の側板８２を開いて手前側側板８２ａと奥側側板８２ｂとの間隔を拡げ、使用する転写紙を両者の間に置く。転写紙を画像形成装置の本体側に押し込むと、転写紙の先端が紙検知手段である載置センサ８４を押し、画像形成装置は、手差しトレイ８０に転写紙がセットされたことを検知する。手前側側板８２ａを掴んで押すと、手前側側板８２ａと奥側側板８２ｂとが同時に動いて転写紙を両側から押圧し、転写紙の幅方向の整合を行うことができる。手前側側板８２ａと奥側側板８２ｂとの間には可変抵抗器があり、これらの間隔が変化すると可変抵抗器の抵抗値が変わることから、両側板８２ａ，８２ｂ間の距離を知ることができる。したがって、一対の側板８２が転写紙サイズを検知する紙サイズ検知手段となっている。
【０００６】
【発明が解決しようとする課題】
以上のような手順で給紙トレイに転写紙を載置するのであるが、載置する転写紙の枚数が数枚程度と少量の場合は、手前側側板８２ａと奥側側板８２ｂによって転写紙の幅方向の整合をしたときに、手前側側板８２ａを強く押しすぎて転写紙がたわんでしまうことがある。
【０００７】
特に、非健常者、中でも体に障害がある身体障害者は、手の動きが制約されており、微妙な調節をするのが困難であり、そのため転写紙のたわみが起こりやすく、それが原因で紙サイズの誤検知又は紙詰まりなどの不具合が発生しやすい。このような状況は、ユニバーサルデザインの観点から考えると好ましいものではない。
【０００８】
そこで、本発明は非健常者にとっても側板の位置合わせ操作性が容易になる転写紙の載置方法及び給紙装置を提供することを目的とする。
【０００９】
【課題を解決するための手段】
上記の目的を達成するために本発明の転写紙の載置方法は、画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、前記転写紙のサイズに合わせた台紙プレートを有し、該台紙プレートを前記給紙トレイに載置する第１工程と、前記給紙トレイに載置した台紙プレートの上に転写紙を載置する第２工程と、前記側板を移動して転写紙の整合を行う第３工程と、からなる構成とした。
【００１０】
さらに、前記台紙プレートは、前記給紙トレイによって給紙可能な転写紙のサイズを複数枚用意しており、使用する転写紙のサイズによって第１工程で前記給紙トレイに載置する台紙プレートを変えることとすることもできる。
【００１１】
上記目的を達成するために本発明の給紙装置は、画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、前記転写紙のサイズに合わせた台紙プレートを有し、前記給紙トレイは転写紙の有無を検知する紙検知手段を有し、前記台紙プレートは、前記紙検知手段を回避する切欠部を有する構成とした。
【００１２】
さらに、前記給紙トレイは前記台紙プレートを収納する収納部を有し、第１工程は前記収納部から台紙プレートを取りだし、前記給紙トレイに載置することとしたり、前記台紙プレートは、２つ折り可能な形状であり、転写紙のサイズによって２つ折りの状態又は広げた状態で前記給紙トレイに載置する構成としたり、前記台紙プレートは、凹凸形状の紙サイズ表示部を有する構成としたり、前記台紙プレートは、該台紙プレートのサイズを表示する台紙プレートサイズ表示部を有し、前記給紙トレイは、前記台紙プレートサイズ表示部の表示を検知する台紙プレートサイズ検知手段と、転写紙のサイズを検知する紙サイズ検知手段と、該２つの検知手段によって検知したサイズを比較するサイズ比較手段と、を有し、前記第１から第３工程の後、前記台紙プレートサイズ検知手段で検知した台紙プレートサイズと前記紙サイズ検知手段で検知した転写紙のサイズをサイズ比較手段で比較し、台紙プレートのサイズと転写紙のサイズが異なっている場合には、操作者に告知する構成とすることもできる。
【００１３】
【発明の実施の形態】
次に、本発明の転写紙の載置方法を、図面を基に説明する。
図１は、本発明の画像形成装置の構成図である。画像形成装置は、回転体であるドラム状の像担持体１の周囲に、帯電装置２、像露光装置３、現像装置４、転写装置５ａ、除電装置５ｂ、及びクリーニング装置６を配置した画像形成部を有する。画像形成部は、帯電装置２によって像担持体１の表面に一様に帯電を行った後に、像露光装置３のレーザビームによって原稿から読み取られた画像データに基づく露光走査を行って静電潜像を形成し、該静電潜像を現像装置４により反転現像して像担持体１の表面にトナー像を形成する。
【００１４】
一方、画像形成装置の中段に配置された給紙カセット３０ａ，３０ｂ、下段に配置された大容量給紙カセット３０ｃ及び、側方に配置された手差し給紙トレイ３０等から給紙された転写紙Ｓは、レジストローラ７を経由して転写位置へ送られる。
【００１５】
転写位置において転写装置５ａにより前記トナー像が転写紙Ｓ上に転写される。その後に、転写紙Ｓは除電装置５ｂにより裏面の電荷が消去されて像担持体１から分離され、搬送部５ｃにより搬送され、引き続き定着装置８により加熱定着され、排紙ローラ９ａにより排出される。
【００１６】
転写紙Ｓの両面に画像形成を行う場合には、定着装置８により加熱定着された転写紙Ｓを搬送路切替板９ｂにより通常の排紙通路から分岐し、反転搬送部９ｃにおいてスイッチバックして表裏反転した後、再び画像形成部を通過し、転写紙Ｓの裏面に画像を形成し、定着装置８を経て、排紙ローラ９ａにより装置外に排出される。
【００１７】
一方、像担持体１の画像処理後の表面は、クリーニング装置６により表面に残留している現像剤が除去され、次の画像形成に備える。
【００１８】
図２は、台紙プレートの正面図である。図２（ａ）の台紙プレート２０は、硬質の樹脂等で形成された薄板である。大きさは転写紙の大きさと等しくなっている。つまり、Ａ４サイズの転写紙にはＡ４の大きさの台紙プレート２０を使用し、Ｂ５サイズの転写紙にはＢ５の大きさの台紙プレート２０を使用する。このように、台紙プレート２０は、画像形成装置で使用することが可能な転写紙のサイズ毎に同じ大きさのものが用意されている。
【００１９】
台紙プレート２０には、切欠部２０ａ，２０ａが設けられている。これは、給紙トレイに設けられた紙検知センサが台紙プレート２０を検知しないようにするためのものであり、ポートレート方向に載置した場合と、ランドスケープ方向に載置した場合の２箇所に設けられている。
【００２０】
しかし、図２（ａ）では、台紙プレートを裏表を逆に載置したり、上下を逆さまに載置した場合に、切欠部２０ａが紙検知センサの位置にこないため、紙があると誤検知されてしまう。そこで、図２（ｂ）に示すように、裏表や上下を逆さまに載置した場合でも、紙検知センサの位置に切欠部２０ａがくるように、ポートレート方向に４つ、ランドスケープ方向にも４つの切欠部２０ａを設けた。
【００２１】
図３は、本発明の転写紙の載置方法で使用する手差しトレイの要部斜視図である。給紙トレイとしての手差しトレイ３０は、図８の手差しトレイ８０と同様に、ほぼ平らなベース３１の基端を画像形成装置に開閉自在に取り付けたものとなっている。ベース３１の画像形成装置寄りのところには、手前側側板３２ａと奥側側板３２ｂとからなる一対の側板３２がある。これら手前側側板３２ａと奥側側板３２ｂは、図８の側板８２と同様に、それぞれ長孔３３ａ，３３ｂにスライド自在に取り付けられ、鏡面対象に移動可能となっている。また、中心線ｂは転写紙の搬送方向となっており、一対の側板３２は転写紙の搬送方向と直行する方向に移動する。
【００２２】
図３では、手前側側板３２ａと奥側側板３２ｂは中心線ｂからの距離が常に同一になるように連動しているが、本発明はこのような実施例に限定するものではなく、例えば奥側側板３２ｂは手差しトレイ３０の一端に固定されており、手前側側板３２ａが搬送方向と直交する方向に移動可能となった構成でもよい。手前側側板３２ａと奥側側板３２ｂとの間には図８の側板８２と同様に可変抵抗器があり、これが紙サイズ検知手段となっている。
【００２３】
符号３４は紙が載置されたかどうかを検知する紙検知手段である。これは、機械的なアクチュエータや光学的なセンサ等が用いられる。台紙プレート２０の切欠部２０ａは、この紙検知手段３４から逃げるようになっており、これによって台紙プレート２０が紙として検知されることを防ぐものである。当然、紙検知手段３４の配置場所が変われば、切欠部２０ａの位置も対応した位置に変わってくる。
【００２４】
ベース３１は図８のベース８１よりも厚みがあって中空の収納部３５を有しており、複数枚の台紙プレート２０を収納部３５から出し入れすることが可能なようになっている。
【００２５】
以上のような手差しトレイ３０と台紙プレート２０を用いて転写紙を載置する方法は次のようになる。まず、側板３２の間隔を広げた状態にしてからベース３１に収納部３５から取り出した台紙プレート２０を載置する。この台紙プレート２０は複数あるうちの、使用する転写紙のサイズと同一のものである。次に台紙プレート２０の上に転写紙を載置する。最後に、側板３２を転写紙側に寄せて転写紙の整合を行う。台紙プレート２０は硬質なため、側板３２が台紙プレート２０よりも小さい方向へ移動することがないので、転写紙のたわみや紙サイズの誤検知などが防止できる。
【００２６】
台紙プレート２０は、当該画像形成装置で使用可能な転写紙のサイズの数だけ必要となるが、扱えるサイズが多くなると、それだけ台紙プレート２０の枚数も増えてしまう。そこで、図４のような実施例も考えられる。
【００２７】
図４は台紙プレートの第２実施例の斜視図である。台紙プレート４０は図２の台紙プレート２０と同様に硬質樹脂等で形成されていて、Ａ３やＢ４といったサイズの大きな転写紙用に形成されており、中央に形成されたヒンジ４１によって、矢印方向へ折りたたみ可能となっている。ヒンジ４１から矢印方向に折りたたむと、Ａ３サイズからＡ４サイズといったようにサイズが一つ小さくなる。このようにすると、２つの異なるサイズを一つの台紙プレートで兼ねることができるようになり、台紙プレートの枚数を減らすことが可能となる。
【００２８】
この場合、切欠部は広げた形で使われるものと、折りたたんだ形で使われるものと、両方に共通で使えるものという３種類がある。切欠部４２は、大きな転写紙をポートレート方向で使用する時と、小さなサイズの転写紙をランドスケープ方向で使用する時のどちらにも共通して使用できる切欠部であり、切欠部４３は、大きなサイズの転写紙をランドスケープ方向で使用する時のものとなっており、切欠部４４は小さなサイズに折りたたんだ時のポートレート方向で使用される切欠部となっている。
【００２９】
図５は台紙プレートの第３実施例である。図５（ａ）で示した台紙プレート５０は、第１、第２実施例と同様の素材で形成されており、側面には切欠部５１が形成されている。図５（ａ）の右上には、紙サイズ表示部５２がある。紙サイズ表示部５２は凸状の線によって構成されている。この凸状の線の本数によってどのサイズの転写紙に使用する台紙プレートなのかが判別可能になっている。
【００３０】
図５（ｂ）は、紙サイズ表示部５３を台紙プレート５０の側面に形成したものである。やはり、紙サイズ表示部５３の突起の数で、どのサイズの転写紙に使用する物であるかが判別できる。
【００３１】
紙サイズ表示部５２，５３は、主に視覚障害者への考慮であるので、このような凸状の線や突起の代わりに、点字を用いることも可能である。
【００３２】
また、転写紙には大きくＡ版とＢ版があるので、Ａ４等のＡ版の転写紙に使用する台紙プレート５０には、図５（ａ）の紙サイズ表示部５２を形成し、Ｂ５等のＢ版の転写紙に使用する台紙プレート５０は図５（ｂ）のような紙サイズ表示部５３を使用することとしてもよい。
【００３３】
図６は、台紙プレートの第４実施例である。台紙プレート６０には、他の実施例と同様に切欠部があり、その隣に台紙プレートサイズ表示部６１がある。台紙プレートサイズ表示部６１は１個又は複数個の孔であって、手差しトレイ３０の該当する位置に台紙プレートサイズ検知手段がある。台紙プレートサイズ検知手段は、複数個の突起状のスイッチであって、台紙プレートサイズ表示部６１の孔が開いている部分のスイッチはオフになり、孔が開いていない部分にあるスイッチはオンとなる。この時のオンになっているスイッチの数又は位置によって台紙プレートのサイズを検出することが可能となる。
【００３４】
図７は、画像形成装置のブロック図である。全体制御部７０は画像形成装置に取り付けられた各装置を協働させるためのものであり、図示しない記憶装置やサイズ比較手段７１及び画像処理手段７２等の制御プログラムから構成されている。
【００３５】
操作パネル７３ａは操作者が転写紙のサイズ又はコピー枚数等の数値又は各種設定を入力する装置であり、表示部７３ｂはそれらの設定値を表示する液晶パネル等の表示装置である。画像形成装置によっては、表示部７３ｂをタッチパネルにして操作パネル７３ａを兼ねる場合もある。
【００３６】
画像処理手段７２は、画像読取部７４で読みこまれた画像に対して回転等の画像処理を行い、画像形成部７５を介してプリンタ制御部７６で画像を転写紙に転写する。
【００３７】
ＦＡＸ制御部７７は電話回線からのＦＡＸ信号を受信及び画像読取部７４で読み込んだ画像を、電話回線を使って送信するための制御を行うものである。
【００３８】
給紙部７８は、手差しトレイ３０等の転写紙を画像形成部７５へ供給する装置である。給紙部７８には、図３で示したように側板３２が兼ねる紙サイズ検知手段３２、紙検知手段３４及び台紙プレートサイズ検知手段７９がある。台紙プレートサイズ検知手段７９は、図６のように台紙プレート６０に開けられた孔としての台紙プレートサイズ表示部６１の有無を検知する突起状のスイッチである。しかし、そのようなものに限定されるものではなく、光学的なセンサでもよいし、図５で示した紙サイズ表示部５２の凹凸を検知するものであってもよい。サイズ比較手段７１では、台紙プレートサイズ検知手段７９と紙サイズ検知手段３２とからそれぞれのサイズを取得することによって、両者のサイズが同じになっているかどうかを判断し、違っていた場合には操作者に警告等の告知を行うことができる。手順としては次のようになる。
【００３９】
まず、図３の側板３２を広げる方向に移動し、台紙プレート６０を載置する。この時にサイズ比較手段７１は、台紙プレートサイズ検知手段７９から、台紙プレート６０に設けられた台紙プレートサイズ表示部６１の値を受け取る。次に、転写紙を台紙プレート６０の上に載置し、側板３２で整合する。これによって紙サイズ検知手段としての側板３２が紙サイズを検知し、サイズ比較手段７１は検知した値を取得する。サイズ比較手段７１は、台紙プレートサイズ検知手段７９と紙サイズ検知手段３２とから受け取った値を比較し、両者の数値が同じサイズを示していれば何もせずに比較処理を終了する。比較の結果サイズに違いがあった場合には、操作者に告知を行う。告知には、表示部７３ｂにメッセージを表示する、又はブザー音や音声によるガイダンス等がある。
【００４０】
なお、上記では手差しトレイで説明をしてきたが、本発明は手差しトレイでの使用に限定されるものではなく、画像形成装置の中段に配置された給紙カセット３０ａ，３０ｂ及び下段に配置された大容量給紙カセット３０ｃ等にも使用可能である。
【００４１】
【発明の効果】
以上のように本発明の転写紙の載置方法によれば、画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、前記転写紙のサイズに合わせた台紙プレートを有し、該台紙プレートを前記給紙トレイに載置する第１工程と、前記給紙トレイに載置した台紙プレートの上に転写紙を載置する第２工程と、前記側板を移動して転写紙の整合を行う第３工程と、からなる構成としたことで、少ない転写紙の量であっても側板を整合する時に転写紙がたわむのを防止することができる。
【００４２】
以上のように本発明の給紙装置によれば、画像形成装置に設置され、画像を形成するために載置される転写紙を両側から整合するための手前側側板および奥側側板とからなる一対の側板を有し、該一対の側板のうち少なくとも一方が前記転写紙の給紙方向と直交する方向に移動可能となっている給紙トレイと、前記転写紙のサイズに合わせた台紙プレートを有し、前記給紙トレイは転写紙の有無を検知する紙検知手段を有し、前記台紙プレートは、前記紙検知手段を回避する切欠部を有することで、紙検知手段が台紙プレートを転写紙であると誤検知することがなくなる。
【００４３】
前記給紙トレイは前記台紙プレートを収納する収納部を有し、第１工程は前記収納部から台紙プレートを取りだし、前記給紙トレイに載置することで、複数枚ある台紙プレートの管理が容易になる。
【００４４】
前記台紙プレートは、２つ折り可能な形状であり、転写紙のサイズによって２つ折りの状態又は広げた状態で前記給紙トレイに載置することで、台紙プレートの枚数を削減することができる。
【００４５】
前記台紙プレートは、凹凸形状の紙サイズ表示部を有することで視覚障害者にも台紙プレートのサイズが容易に判るようになる。
【００４６】
前記台紙プレートは、該台紙プレートのサイズを表示する台紙プレートサイズ表示部を有し、前記給紙トレイは、前記台紙プレートサイズ表示部の表示を検知する台紙プレートサイズ検知手段と、転写紙のサイズを検知する紙サイズ検知手段と、該２つの検知手段によって検知したサイズを比較するサイズ比較手段と、を有し、前記第１から第３工程の後、前記台紙プレートサイズ検知手段で検知した台紙プレートサイズと前記紙サイズ検知手段で検知した転写紙のサイズをサイズ比較手段で比較し、台紙プレートのサイズと転写紙のサイズが異なっている場合には、操作者に告知する構成とすることで、誤操作の防止が可能となる。
【図面の簡単な説明】
【図１】本発明の画像形成装置の構成図である。
【図２】台紙プレートの正面図である。
【図３】本発明の転写紙の載置方法で使用する手差しトレイの要部斜視図である。
【図４】台紙プレートの第２実施例の斜視図である。
【図５】台紙プレートの第３実施例を示す図である。
【図６】台紙プレートの第４実施例を示す図である。
【図７】画像形成装置のブロック図である。
【図８】手差しトレイを使用位置である開状態にした要部斜視図である。
【符号の説明】
Ｓ　　　　　　　　　　　　　　　　転写紙
２０，４０，５０，６０　　　　　　台紙プレート
２０ａ，４２，４３，４４，５１　　切欠部
３０　　　　　　　　　　　　　　　給紙トレイ
３２　　　　　　　　　　　　　　　側板（紙サイズ検知手段）
３２ａ　　　　　　　　　　　　　　手前側側板
３２ｂ　　　　　　　　　　　　　　奥側側板
３４　　　　　　　　　　　　　　　紙検知手段
３５　　　　　　　　　　　　　　　収納部
５２　　　　　　　　　　　　　　　紙サイズ表示部
６１　　　　　　　　　　　　　　　台紙プレートサイズ表示部
７２　　　　　　　　　　　　　　　サイズ比較手段
７９　　　　　　　　　　　　　　　台紙プレートサイズ検知手段
【図１】
2004026337.tif 000003
【図２】
2004026337.tif 000004
【図３】
2004026337.tif 000005
【図４】
2004026337.tif 000006
【図５】
2004026337.tif 000007
【図６】
2004026337.tif 000008
【図７】
2004026337.tif 000009
【図８】
2004026337.tif 000010